(57)【要約】【課題】オプション部材を、商品陳列部への商品の陳列や取出しに支障なく取り付けることができるようにするとともに、オプション部材を、商品陳列部に向けてオーバーハングさせた状態をもって取り付けた場合であっても、左右の支柱間の上部に、強固に支持することができるようにした商品陳列什器におけるオプション部材の支持構造を提供する。【解決手段】左右に立設した支柱３，３の少なくとも前方を、商品陳列部とした商品陳列什器１におけるオプション部材の支持構造であって、左右の支柱３，３における上端部間に渡設した上部横杆４の上面に、直接または間接に前後１対の支持杆１２，１３を立設するとともに、この各支持杆１２，１３に、オプション部材の脚杆１５，１６を嵌合し、かつ前後の脚杆１５，１６または支持杆１２，１３同士を、連結部材１７，１８によって連結する。【選択図】    図１
2010075416.tif 000002
【特許請求の範囲】
【請求項１】
左右に立設した支柱の少なくとも前方を、商品陳列部とした商品陳列什器におけるオプション部材の支持構造であって、
左右の支柱における上端部間に渡設した上部横杆の上面に、直接または間接に前後１対の支持杆を立設するとともに、この各支持杆に、オプション部材の脚杆を嵌合し、かつ前後の脚杆または支持杆同士を、連結手段によって連結したことを特徴とする商品陳列什器におけるオプション部材の支持構造。
【請求項２】
左右の支柱における上端部間に渡設した上部横杆の上面に、基台部材を取り付け、この基台部材の上面に前後１対の支持杆を立設することにより、前記上部横杆の上面に間接に支持杆を立設した請求項１記載の商品陳列什器におけるオプション部材の支持構造。
【請求項３】
連結手段が、前後の脚杆または支持杆のそれぞれに、一方の脚杆または支持杆から他方の脚杆または支持杆に向けて互いに対向しうるように連結部材を延設するとともに、これら連結部材同士を、前後の脚杆または支持杆間で互いに共締めして連結したものである請求項１または２記載の商品陳列什器におけるオプション部材の支持構造。
【請求項４】
上部横杆または基台部材の上面の左右に、前後１対の支持杆をそれぞれ立設するとともに、これら支持杆に嵌合した左右の脚杆間にオプション部材を取り付けた請求項１〜３のいずれかに記載の商品陳列什器におけるオプション部材の支持構造。
【請求項５】
上部横杆または基台部材の上面の左右に、前後１対の支持杆をそれぞれ立設するとともに、これら支持杆の前後いずれか一方に嵌合した左右の脚杆間にオプション部材を取り付け、かつ他方の左右の支持杆にそれぞれ嵌合される脚杆を、偽装脚杆とした請求項１〜３のいずれかに記載の商品陳列什器におけるオプション部材の支持構造。
【請求項６】
オプション部材を照明装置とした請求項１〜５のいずれかに記載の商品陳列什器におけるオプション部材の支持構造。
【発明の詳細な説明】
【技術分野】
【０００１】
本発明は、商品陳列棚などの商品陳列部を演出照明する照明装置などを支持するための商品陳列什器におけるオプション部材の支持構造に関する。
【背景技術】
【０００２】
例えば、商品陳列棚を演出照明する場合、床面に立設した左右の支柱に、前方に向けて延びる左右ならびに上下１対の支持部材をそれぞれ設けるとともに、これら上下の支持部材の前端間にそれぞれ支持した左右の照明装置により、棚前面の商品陳列部を前方から照明するものや、左右の支柱間の上方に、前方に延びるルーフフレームを設け、このルーフフレームの前端に照明装置を支持することにより、棚前面の商品陳列部を上方から照明するものが公知である（特許文献１，２参照）。
【０００３】
しかし、特許文献１，２に記載された照明装置は、商品陳列棚における左右の支柱の前面に設けた、上下方向に等間隔をもって左右２列に配列した複数のスリット状の係止孔を利用して取り付けるようになっていることから、本来、これらの係止孔に取り付けられる棚板の支持用ブラケットの取付範囲が狭くなったり、商品陳列部への商品の陳列や取出しの支障になることがある。
【０００４】
一方、特許文献３に記載されているように、商品陳列棚における左右の支柱間の上方に、各支柱の真上に垂直に立設した伸縮式の脚杆をもって表示装置を取り付けるようにしたものでは、軽量な表示装置のようなオプション部材の場合は問題がないが、重量の大きい照明装置などのようなオプション部材を、商品陳列棚の前方の商品陳列部に向けてオーバーハングさせた状態をもって取り付けた場合には、脚杆の強度不足は免れず、不向きであるという問題があった。
【特許文献１】特開２００３−２５９９５２号公報
【特許文献２】特開２００３−２５９９４６号公報
【特許文献３】特開２００５−１３３６０号公報
【発明の開示】
【発明が解決しようとする課題】
【０００５】
本発明は、前記の現状に鑑み、オプション部材を、商品陳列部への商品の陳列や取出しに支障なく取り付けることができるようにするとともに、オプション部材を、商品陳列部に向けてオーバーハングさせた状態をもって取り付けた場合であっても、左右の支柱間の上部に、強固に支持することができるようにした商品陳列什器におけるオプション部材の支持構造を提供することを目的とする。
【課題を解決するための手段】
【０００６】
上記課題は、「特許請求の範囲」の欄における各請求項に記載するように、次のような構成からなる発明によって解決される。
【０００７】
（１）  左右に立設した支柱の少なくとも前方を、商品陳列部とした商品陳列什器におけるオプション部材の支持構造であって、左右の支柱における上端部間に渡設した上部横杆の上面に、直接または間接に前後１対の支持杆を立設するとともに、この各支持杆に、オプション部材の脚杆を嵌合し、かつ前後の脚杆または支持杆同士を、連結手段によって連結する。
【０００８】
（２）  上記（１）項において、左右の支柱における上端部間に渡設した上部横杆の上面に、基台部材を取り付け、この基台部材の上面に前後１対の支持杆を立設することにより、前記上部横杆の上面に間接に支持杆を立設する。
【０００９】
（３）  上記（１）項または（２）項において、連結手段が、前後の脚杆または支持杆のそれぞれに、一方の脚杆または支持杆から他方の脚杆または支持杆に向けて互いに対向しうるように連結部材を延設するとともに、これら連結部材同士を、前後の脚杆または支持杆間で互いに共締めして連結したものである。
【００１０】
（４）  上記（１）〜（３）項のいずれかにおいて、上部横杆または基台部材の上面の左右に、前後１対の支持杆をそれぞれ立設するとともに、これら支持杆に嵌合した左右の脚杆間にオプション部材を取り付ける。
【００１１】
（５）  上記（１）〜（３）項のいずれかにおいて、上部横杆または基台部材の上面の左右に、前後１対の支持杆をそれぞれ立設するとともに、これら支持杆の前後いずれか一方に嵌合した左右の脚杆間にオプション部材を取り付け、かつ他方の左右の支持杆にそれぞれ嵌合される脚杆を、偽装脚杆とする。
【００１２】
（６）  上記（１）〜（５）項のいずれかにおいて、オプション部材を照明装置とする。
【発明の効果】
【００１３】
本発明によると、次のような効果が奏せられる。
請求項１記載の発明によると、左右の支柱における上端部間に渡設した上部横杆の上面に、直接または間接に前後１対の支持杆を立設するとともに、この各支持杆に、オプション部材の脚杆を嵌合してあるので、オプション部材を、商品陳列部への商品の陳列や取出しに支障なく取り付けることができる。
また、前後の脚杆または支持杆同士を、連結手段によって連結してあるので、支持杆を軸中心とした脚杆の軸回りの水平回動による振れを阻止することができるとともに、脚杆の支持杆への嵌合部分に加わる負荷を、互いの脚杆または支持杆同士で支え合うことができるため、オプション部材を、商品陳列部に向けてオーバーハングさせた状態をもって取り付けた場合であっても、左右の支柱間の上部に、強固に支持することができる。
【００１４】
請求項２記載の発明によると、左右の支柱における上端部間に渡設した上部横杆の上面に、基台部材を取り付け、この基台部材の上面に前後１対の支持杆を立設することにより、上部横杆の上面に間接に支持杆を立設してあるので、オプション部材を、脚杆をもって、上方から商品陳列什器の商品陳列部に向けてオーバーハングさせた状態で支持しても、見栄えよく、強固に支持することができる。
【００１５】
請求項３記載の発明によると、連結手段が、前後の脚杆または支持杆のそれぞれに、一方の脚杆または支持杆から他方の脚杆または支持杆に向けて互いに対向しうるように連結部材を延設するとともに、これら連結部材同士を、前後の脚杆または支持杆間で互いに共締めして連結したものであるので、前記した請求項１と同様の効果を得ることができる。
【００１６】
請求項４記載の発明によると、上部横杆または基台部材の上面の左右に、前後１対の支持杆をそれぞれ立設するとともに、これら支持杆に嵌合した左右の脚杆間にオプション部材を取り付けてあるので、前記した請求項２と同様の効果を得ることができる。
【００１７】
請求項５記載の発明によると、上部横杆または基台部材の上面の左右に、前後１対の支持杆をそれぞれ立設するとともに、これら支持杆の前後いずれか一方に嵌合した左右の脚杆間にオプション部材を取り付け、かつ他方の左右の支持杆にそれぞれ嵌合される脚杆を、偽装脚杆としてあるので、オプション部材を、商品陳列部に向けてオーバーハングさせた状態をもって取り付けた場合であっても、左右の支柱間の上部に、強固に支持することができる。
【００１８】
請求項６記載の発明によると、オプション部材を照明装置としてあるので、左右の支柱間における前後面の商品陳列部を上方から演出照明することができる。
また、脚杆の一方を偽装脚杆とした場合には、片面の商品陳列部の演出照明が行える。
【発明を実施するための最良の形態】
【００１９】
以下、本発明を、図面を参照しながら詳細に説明する。
図１は、オプション部材を照明装置とした場合の本発明の支持構造を備えた商品陳列棚の斜視図、図２は、図１におけるII−II線断面要部拡大図、図３は、図２におけるIII−III線断面図、図４は、商品陳列棚への照明装置における脚杆の支持状態を示す要部拡大分解斜視図である。
【００２０】
図１に示すように、商品陳列棚１は、前後に背中合わせで床面上に載置された前後１対の架台２，２と、これら架台２，２の前後方向における中央部の左右外側面に形成した上下方向に延びる切欠溝２ａにそれぞれ組み付けられて、上向きに立設された左右１対の支柱３，３と、これら左右の支柱３，３の上端部間を連結する上部横連結杆４とを有する。
【００２１】
各支柱３の前後両面には、上下方向に等間隔をもって左右２列に配列した複数の係止孔５がそれぞれ設けられており、これら左右の支柱３，３における同一高さ位置の係止孔５，５には、左右１対の棚板ブラケット６，６が、その後端をフック掛けすることにより、装着されているとともに、この左右の棚板ブラケット６，６間上に棚板７を載置することにより、複数の棚板７が上下多段状に取り付けられている。
【００２２】
架台２は、前後方向に開口する下向きコ字状の箱体によって形成されており、この箱体内には、ストッカー８が、前後方向に引出し可能に格納されている。
【００２３】
商品陳列棚１における上部横杆４の上面には、オプション部材としての照明装置９を支持する支持装置１０が取り付けられている。
【００２４】
支持装置１０は、図２から図４に示すように、左右方向に延びる断面下向きコ字状の基台部材１１と、この基台部材１１における上面の左右にそれぞれ立設した前後１対のパイプ状の支持杆１２，１３とを備えるとともに、基台部材１１の下端には、左右１対の差込片１４，１４が垂下させて設けられている。
各差込片１４は、左右の支柱３の上端に開口した開口部３ａに向けてそれぞれ差込み係合することにより、基台部材１１が、商品陳列棚１における上部横杆４の上面の左右方向に沿って着脱可能に組み付けられるようになっている。
【００２５】
前後の支持杆１２，１３には、側面視平仮名「く」字状に折曲したパイプ状の脚杆１５，１６が、外側から被嵌状態をもって嵌合しうるようになっている。
前後の脚杆１５，１６は、上下方向の下端部１５ａ，１６ａが各支持杆１２に嵌合されるとともに、上端部１５ｂ，１６ｂが、商品陳列棚１における前後面に向けて、それぞれ前方または後方にオーバーハングさせた状態をもって延設され、互いに背中合わせの状態となっている（図１、図２参照）。
【００２６】
前方の脚杆１５の下端部１５ａには、前端が溶接によって固定され、かつ後端を後方の脚杆１６の下端部１６ａに向けて延設した連結部材１７が設けられているとともに、後方の脚杆１６の下端部１６ａには、後端が溶接によって固定され、かつ前端を前方の脚杆１５の下端部１５ａに向けて延設した連結部材１８が設けられている。
連結部材１７，１８同士は、前後の脚杆１５，１６間において、互いに左右方向に対向しうるようになっているとともに、これらの互いの対向面に整合させて設けた貫通孔１９，２０に向けて、低頭ボルト２１を外側から挿通し、この低頭ボルト２１の挿通端部に、Ｕナット２２を内側から螺合させることにより、連結部材１７，１８同士が、互いに共締めされて連結されるようになっている（図３、図４参照）。
【００２７】
連結部材１７，１８における対向面の貫通孔１９，２０間には、短管状のスペーサー部材２３が介在されており、このスペーサー部材２３を通して、低頭ボルト２１を挿通させることにより、連結部材１７，１８同士が過度に締結されるのを防止している。
【００２８】
照明装置９は、支持装置１０における前後ならびに左右１対の支持杆１２，１３に嵌合した前後における左右の脚杆１５，１６の上端部１５ｂ，１６ｂ間に、それぞれ支持することにより、商品陳列棚１の前後両面における商品陳列部を、上方から演出照明しうるようになっている。
【００２９】
照明装置９に接続された配線は、前後の支持杆１２，１３内を通して、基台部材１１内に導入されるとともに、この基台部材１１内に導入された配線は、さらに基台部材１１の左右方向の前後側面に保護キャップ２４を介して開口させた配線孔２５を通して、外部電源に接続されるようになっている。
【００３０】
図５は、他の実施形態を示す要部拡大断面図、図６は、その分解斜視図である。
【００３１】
本実施形態においては、図５、図６に記すように、前記した支持装置１０における前方の支持杆１２に、照明装置９が支持される脚杆１５を嵌合するとともに、後方の支持杆１３に、連結部材２６を設けた短寸のパイプ状の偽装脚杆２７を嵌合して、互いの連結部材１７，２７同士を連結するようになっている。
この場合、偽装脚杆２７の上端部には、化粧キャップ２８が着脱可能に被嵌される。
これにより、商品陳列棚１における前面の商品陳列部のみを、上方から演出照明しうるようになっている。
【００３２】
なお、上記の実施形態においては、前後の支持杆に、オプション部材の脚杆もしくは偽装脚杆を外嵌しうるようにしたが、パイプ状の支持杆内に、オプション部材の脚杆もしくは偽装脚杆を内嵌してもよい。
この場合には、連結手段により前後の脚杆同士を、支持杆の上方位置において連結することが推奨されるが、場合によっては、前後の支持杆同士を、偽装脚杆を用いることなく連結してもよく、したがって、前記化粧キャップは、偽装脚杆が内嵌されない支持杆の上端部に着脱可能に被嵌される。
また、オプション部材として照明装置を例に説明したが、本発明は、その他、例えば重量の大きな表示装置等の支持構造にも適用することが可能である。
【図面の簡単な説明】
【００３３】
【図１】オプション部材を照明装置とした場合の本発明の支持構造を備えた商品陳列棚の斜視図である。
【図２】図１におけるII−II線断面要部拡大図である。
【図３】図２におけるIII−III線断面図である。
【図４】商品陳列棚への照明装置における脚杆の支持状態を示す要部拡大分解斜視図である。
【図５】他の実施形態を示す要部拡大断面図である。
【図６】その分解斜視図である。
【符号の説明】
【００３４】
１    商品陳列棚
２    架台
２ａ  切欠溝
３    支柱
３ａ  開口部
４    上部横杆
５    係止孔
６    棚板ブラケット
７    棚板
８    ストッカー
９    照明装置
１０  支持装置
１１  基台部材
１２，１３  支持杆
１４  差込片
１５  脚杆
１５ａ  下端部
１５ｂ  上端部
１６  脚杆
１６ａ  下端部
１６ｂ  上端部
１７，１８  連結部材
１９，２０  貫通孔
２１  低頭ボルト
２２  Ｕナット
２３  スペーサー部材
２４  保護キャップ
２５  配線孔
２６  連結部材
２７  偽装脚杆
２８  化粧キャップ
【図１】
2010075416.tif 000003
【図２】
2010075416.tif 000004
【図３】
2010075416.tif 000005
【図４】
2010075416.tif 000006
【図５】
2010075416.tif 000007
【図６】
2010075416.tif 000008